(57)【要約】【課題】  香料、揮散性消臭剤、抗菌性薬剤等の揮散性薬剤の揮散終了時の終点を明確にすることができる揮散性薬剤組成物を提供する。【解決手段】  本発明揮散性薬剤組成物は、２−エチルヘキサン酸アルミニウムを油ゲル化剤とした油ゲルに炭素数１２〜２２の脂肪酸のカルシウム塩及び／又は亜鉛塩、さらに必要に応じて色素を添加することにより、組成物中の有効成分の揮散終点を可視化することができる組成物である。【選択図】  なし【特許請求の範囲】
【請求項１】
２−エチルヘキサン酸アルミニウムと、炭素数１２〜２２の脂肪酸のカルシウム塩及び／又は亜鉛塩とを含む揮散性薬剤組成物。
【請求項２】
色素をさらに含む請求項１記載の揮散性薬剤組成物。
【請求項３】
２−エチルヘキサン酸アルミニウムと、下記の色素（Ａ）とを含む揮散性薬剤組成物。
（Ａ）酸化亜鉛、硫化亜鉛、酸化チタン、カーボンブラック、黒鉛、黄色酸化鉄、べんがら、黒色酸化鉄、赤色２０２号、赤色２０５号、赤色２０６号、赤色２０７号、赤色２０８号、赤色２１９号、赤色２２０号、赤色２２１号、赤色２２６号、赤色２２８号、赤色４０４号、赤色４０５号、だいだい色２０３号、だいだい色２０４号、黄色２０５号、青色２０１号、青色２０４号、青色４０４号赤色２号アルミニウムレーキ、赤色３号アルミニウムレーキ、赤色１０２号アルミニウムレーキ、赤色１０４号の（１）アルミニウムレーキ、赤色１０５号の（１）アルミニウムレーキ、赤色１０６号アルミニウムレーキ、赤色２２７号アルミニウムレーキ、赤色２３０号の（１）アルミニウムレーキ、赤色２３０号の（２）アルミニウムレーキ、赤色２３１号アルミニウムレーキ、赤色２３２号アルミニウムレーキ、赤色４０１号アルミニウムレーキ、赤色５０２号アルミニウムレーキ、赤色５０３号アルミニウムレーキ、赤色５０４号アルミニウムレーキ、赤色５０６号アルミニウムレーキ、黄色４号アルミニウムレーキ、黄色５号アルミニウムレーキ、黄色２０２号の（１）アルミニウムレーキ、黄色２０２号の（２）アルミニウムレーキ、黄色２０３号アルミニウムレーキ、黄色４０２号アルミニウムレーキ、黄色４０３号の（１）アルミニウムレーキ、緑色３号アルミニウムレーキ、緑色２０１号アルミニウムレーキ、緑色２０４号アルミニウムレーキ、緑色２０５号アルミニウムレーキ、緑色４０２号アルミニウムレーキ、青色１号アルミニウムレーキ、青色２号アルミニウムレーキ、青色５号アルミニウムレーキ、青色２０５号アルミニウムレーキ、だいだい色２０５号アルミニウムレーキ、だいだい色２０７号アルミニウムレーキ、だいだい色４０２号アルミニウムレーキ、かっ色２０１号アルミニウムレーキ、紫色２号アルミニウムレーキ、黒色４０１号アルミニウムレーキ
【請求項４】
前記炭素数１２〜２２の脂肪酸のカルシウム塩及び／又は亜鉛塩の含有量が０．０１〜１質量％である請求項１記載の揮散性薬剤組成物。
【請求項５】
前記色素の含有量が０．１〜３００ppmである請求項２又は３記載の揮散性薬剤組成物。
【請求項６】
前記炭素数１２〜２２の脂肪酸のカルシウム塩がステアリン酸カルシウムである請求項１、２、４及び５のいずれか１項に記載の揮散性薬剤組成物。
【請求項７】
さらに、ピルビン酸エステルが含まれる請求項１〜６のいずれか１項に記載の揮散性薬剤組成物。
【請求項８】
さらに、ヒノキチオール及び／又はアリルチオイソシアネートが含まれる請求項１〜７のいずれか１項に記載の揮散性薬剤組成物。
【発明の詳細な説明】
【技術分野】
【０００１】
本発明は、香料、揮散性消臭剤、抗菌性薬剤等の揮散性薬剤に、２−エチルヘキサン酸アルミニウムと、炭素数１２〜２２の脂肪酸のカルシウム塩及び／又は亜鉛塩とを含む揮散性薬剤組成物に関する。
【背景技術】
【０００２】
従来より、香料、揮散性消臭剤、抗菌性薬剤等の揮散性薬剤の揮散を徐放化する技術として、揮散性薬剤を油ゲル化剤によって油ゲルにする技術がある。この「油ゲル」は、下記の二つの条件を満たすものをいう。第一に、その物質は、二つ以上の成分から構成され、その成分の一つが大量に存在する液体であり、その液体が有機溶剤で構成される。第二に、その物質は、柔軟物か固形物、あるいは固形物様の形状をしている。
【０００３】
従来より、上記の要件を満たす油ゲル化剤としてはステアリン酸、パルミチン酸、２−エチルヘキサン酸のリチウム、アルミニウムなど金属の塩である金属石けん、１２−ヒドロキシステアリン酸、ジベンジリデンソルビトール、アミノ酸系油ゲル化剤等が知られている（非特許文献１）。
【０００４】
中でも、２−エチルヘキサン酸アルミニウムを油ゲル化剤とし、炭化水素類をゲル化したものは、透明であるために美観に優れていることが知られている（特許文献１）。
【０００５】
前述の透明性に優れる２−エチルヘキサン酸アルミニウムを油ゲル化剤とした場合、組成物中の有効成分の大部分が揮散した場合でも、ゲルはそのまま透明の状態を保持する。そのため、従来は、ゲル中の有効成分の揮散の終点をユーザに知らせるためには、油ゲルの体積を変化させ、容器に有効成分の揮散の終点を示す線や凹凸等の目印を入れることにより揮散の終点を明示する工夫がなされていた。
【０００６】
また、特許文献１には、薬剤徐放製剤の体積の変化により、薬剤の残量がすぐわかるという視認性に優れた薬剤徐放製剤が開示されている。しかし、特許文献１に開示の薬剤徐放製剤の残量の確認は、その薬剤を有するゲルが少なくともわずかな流動性が必要とされるため、全く流動性のないゲルについては、その視認性が発揮できないという問題があった。
【特許文献１】特開２００２−３０６５８４号公報
【非特許文献１】本間正男、池田徹、油がかたまるくすり、化学の領域  ｖｏｌ．３６，Ｎｏ．１０，６９７〜７０１（１９８２）
【発明の開示】
【発明が解決しようとする課題】
【０００７】
本発明は、上述のような問題点を解消するためになされたもので、油ゲルの外観を透明から不透明に変化させ、あるいは色調の濃さを変化させることにより、揮散性薬剤組成物の有効成分の揮散終点を可視化させ、肉眼で容易に視認することができる揮散性組成物を提供する。
【課題を解決するための手段】
【０００８】
本発明は、２−エチルヘキサン酸アルミニウムを油ゲル化剤とした油ゲルに、炭素数１２〜２２の脂肪酸のカルシウム塩及び／又は亜鉛塩、さらに必要により色素を添加することにより、組成物中の揮散性薬剤の揮散終点を可視化することができたものである。
すなわち、炭素数１２〜２２の脂肪酸のカルシウム塩及び／又は亜鉛塩を揮散性薬剤と混合し、２−エチルヘキサン酸アルミニウムを用いて油ゲルを調製したとき、炭素数１２〜２２の脂肪酸のカルシウム塩及び／又は亜鉛塩は油ゲル中に均一に分散するため、添加する量が少量ならばその油ゲルの外観は透明性が保持される。炭素数１２〜２２の脂肪酸のカルシウム塩及び／又は亜鉛塩入りの油ゲルから揮散性薬剤が揮散するに伴い、炭素数１２〜２２の脂肪酸のカルシウム塩及び／又は亜鉛塩が濃縮されて析出し始める。その結果、油ゲルの外観が透明から炭素数１２〜２２の脂肪酸のカルシウム塩及び／又は亜鉛塩粉末の色である白色を呈するようになり、最終的には不透明の白濁した油ゲルになる。油ゲルの外観が透明から不透明に変化することにより、肉眼で揮散の終点を容易に確認することが可能となる。
【０００９】
また、色素で着色させた場合には、その添加する色素の量がごく微量であるならば、２−エチルヘキサン酸アルミニウムを油ゲル化剤とした油ゲルの外観の透明性を保持したまま、薄く着色させることが可能である。そのようにして調製された色素入りの油ゲルから内容物が揮散すると、油ゲルの体積の減少に伴い、不揮発性の色素が濃縮され、着色された透明な油ゲルの色調が濃くなり、最終的には不透明の着色した油ゲルになる。着色した油ゲルの外観の色調が濃く変化することにより、肉眼で揮散の終点を容易に確認することが可能となる。
【発明の効果】
【００１０】
本発明は、２−エチルヘキサン酸アルミニウムを油ゲル化剤とした油ゲルに炭素数１２〜２２の脂肪酸のカルシウム塩及び／又は亜鉛塩、さらに必要に応じて色素を添加することにより、揮散性薬剤組成物中の揮散性薬剤の揮散終点を可視化することができた。
本発明に係る揮散性薬剤組成物は、炭素数１２〜２２の脂肪酸のカルシウム塩及び／又は亜鉛塩が揮散性組成物の揮散に伴い濃縮された結果、透明な組成物を白濁化することを可能にした。また色素を配合した場合には、不揮発性の色素が濃縮される結果、油ゲルの色調を変化させることを可能にした。このように、揮散性薬剤の揮散終点を可視化させることにより、従来のように容器に揮散の終点の表示のために印をつける必要がなく、かつ、揮散性薬剤の揮散終点を正確かつ、容易に確認することができた。
【発明を実施するための最良の形態】
【００１１】
本発明に係る炭素数１２〜２２の脂肪酸のカルシウム塩及び／又は亜鉛塩は、具体的には、ラウリン酸カルシウム、トリデカン酸カルシウム、ミリスチン酸カルシウム、ペンタデカン酸カルシウム、パルミチン酸カルシウム、ヘプタデカン酸カルシウム、ステアリン酸カルシウム、イソステアリン酸カルシウム、１２−ヒドロキシステアリン酸カルシウム、オレイン酸カルシウム、ノナデカン酸カルシウム、イコサン酸カルシウム、ヘンイコサン酸カルシウム、ベヘニン酸カルシウム、ラウリン酸亜鉛、トリデカン酸亜鉛、ミリスチン酸亜鉛、ペンタデカン酸亜鉛、パルミチン酸亜鉛、ヘプタデカン酸亜鉛、ステアリン酸亜鉛、イソステアリン酸亜鉛、１２−ヒドロキシステアリン酸亜鉛、オレイン酸亜鉛、ノナデカン酸亜鉛、イコサン酸亜鉛、ヘンイコサン酸亜鉛、ベヘニン酸亜鉛等が挙げられる。
本発明に係る炭素数１２〜２２の脂肪酸のカルシウム塩及び／又は亜鉛塩の中では、炭素数１６〜２２の脂肪酸のカルシウム塩が好ましく、中でも、ステアリン酸カルシウムがより好ましい。
【００１２】
本発明に係る色素としては、不揮発性のものであれば、香料に溶解できるか否かにかかわらず、添加することができる。具体的には、酸化チタン、酸化亜鉛、硫化亜鉛、酸化アンチモン、カーボンブラック、黒鉛、黒色酸化鉄、べんがら、黄色酸化鉄、チタンブラック、チタンイエロー、チタンバフ、群青、紺青、ケイ酸亜鉛、硫化カルシウム、炭酸カルシウム、硫酸バリウム、ホワイトカーボン、アルミナホワイト、水酸化アルミニウム、カオリングレー、タルク、ベントナイト、ロウ石クレー、マイカ等の無機顔料が挙げられる。
【００１３】
また、赤色２０２号、赤色２０５号、赤色２０６号、赤色２０７号、赤色２０８号、赤色２１９号、赤色２２０号、赤色２２１号、赤色２２６号、赤色２２８号、赤色４０４号、赤色４０５号、だいだい色２０３号、だいだい色２０４号、黄色２０５号、青色２０１号、青色２０４号、青色４０４号等の色素が挙げられる。
【００１４】
また、赤色２号、赤色３号、赤色１０２号、赤色１０４号の（１）、赤色１０５号の（１）、赤色１０６号、黄色４号、黄色５号、緑色３号、青色１号、青色２号、赤色２０１号、赤色２１３号、赤色２１４号、赤色２１５号、赤色２２７号、赤色２３０号の（１）、赤色２３０号の（２）、赤色２３１号、赤色２３２号、赤色４０１号、赤色５０２号、赤色５０３号、赤色５０４号、赤色５０６号、だいだい色２０５号、だいだい色２０７号、だいだい色４０２号、黄色２０２号の（１）、黄色２０２号の（２）、黄色２０３号、黄色４０２号、黄色４０３号の（１）、黄色４０６号、黄色４０７号、緑色２０１号、緑色２０４号、緑色２０５号、緑色４０１号、緑色４０２号、青色２０２号、青色２０３号、青色２０５号、かっ色２０１号、紫色４０１号、黒色４０１号、赤色２０３号、赤色２０４号、赤色２１８号、赤色２２３号、赤色２２５号、だいだい色２０１号、だいだい色２０７号、黄色２０１号、緑色２０２号、等の色素が挙げられる。
【００１５】
また、赤色２号アルミニウムレーキ、赤色３号アルミニウムレーキ、赤色１０２号アルミニウムレーキ、赤色１０４号の（１）アルミニウムレーキ、赤色１０４号の（１）バリウムレーキ、赤色１０５号の（１）アルミニウムレーキ、赤色１０６号アルミニウムレーキ、赤色２２７号アルミニウムレーキ、赤色２３０号の（１）アルミニウムレーキ、赤色２３０号の（２）アルミニウムレーキ、赤色２３１号アルミニウムレーキ、赤色２３２号アルミニウムレーキ、赤色４０１号アルミニウムレーキ、赤色５０２号アルミニウムレーキ、赤色５０３号アルミニウムレーキ、赤色５０４号アルミニウムレーキ、赤色５０６号アルミニウムレーキ等の色素が挙げられる。
【００１６】
また、黄色４号アルミニウムレーキ、黄色４号バリウムレーキ、黄色４号ジルコニウムレーキ、黄色５号アルミニウムレーキ、黄色５号バリウムレーキ、黄色５号ジルコニウムレーキ、黄色２０２号の（１）アルミニウムレーキ、黄色２０２号の（２）アルミニウムレーキ、黄色２０３号アルミニウムレーキ、黄色２０３号バリウムレーキ、黄色２０３号ジルコニウムレーキ、黄色４０２号アルミニウムレーキ、黄色４０３号の（１）アルミニウムレーキ、緑色３号アルミニウムレーキ、緑色２０１号アルミニウムレーキ、緑色２０４号アルミニウムレーキ、緑色２０５号アルミニウムレーキ、緑色４０２号アルミニウムレーキ、緑色４０２号バリウムレーキ、緑色４０２号ジルコニウムレーキ、青色１号アルミニウムレーキ、青色１号バリウムレーキ、青色１号ジルコニウムレーキ、青色２号アルミニウムレーキ、青色５号アルミニウムレーキ、青色２０２号バリウムレーキ、青色２０５号アルミニウムレーキ等の色素が挙げられる。
【００１７】
また、だいだい色２０５号アルミニウムレーキ、だいだい色２０５号バリウムレーキ、だいだい色２０５号ジルコニウムレーキ、だいだい色２０７号アルミニウムレーキ、だいだい色４０２号アルミニウムレーキ、だいだい色４０２号バリウムレーキ、かっ色２０１号アルミニウムレーキ、紫色２号アルミニウムレーキ、黒色４０１号アルミニウムレーキ等の色素が挙げられる。
また、前述した顔料・色素からなる群より選ばれる１種又は２種以上の顔料及び／又は色素を使用してもよい。
【００１８】
上記油ゲル中には、本発明に係る揮散性薬剤として香料、及び常温又は加温によって揮散性のある成分が添加できる。具体的には、香料、揮散性消臭剤、抗菌性薬剤等が挙げられる。また、揮散速度のコントロール、揮散性薬剤濃度の調整等のために有機溶剤又は水を加えても良い。
【００１９】
本発明に係る香料としては、揮散性薬剤組成物に配合できるものであれば、特に限定しないが、合成香料でも、天然香料でも、調合香料でも配合することが可能である。具体的には、合成香料としては、アロオシメン、オシメン、ミルセン、ジヒドロミルセン、α−ファルネセン、β−ファルネセン、α−ピネン、β−ピネン、リモネン、カンフェン、α−フェランドレン、α−テルピネン、γ−テルピネン、テルピノーレン、３−カレン、ｐ−サイメン、α−ビザボレン、β−ビザボレン、γ−ビザボレン、α−セドレン、β−セドレン、α−カリオフィレン、β−カリオフィレン、α−カジネン、β−カジネン、γ−カジネン、δ−カジネン、ε−カジネン、バレンセン、ツヨプセン、α−グアイエン、β−グアイエン、γ−グアイエン、δ−グアイエン、ロンギホレン、１，３，５−ウンデカトリエン、４−イソプロピル−１−メチル−２−プロペニルベンゼン、ジフェニル、ジフェニルメタン等の炭化水素類が挙げられる。
【００２０】
また、３−メチル−１−ペンタノール、１−ヘプタノール、２−ヘプタノール、３−ヘプタノール、１−オクタノール、２−オクタノール、３−オクタノール、２−エチルヘキサノール、１−ノナノール、２−ノナノール、３，５，５−トリメチル−１−ヘキサノール、２，６−ジメチルヘプタノール、１−デカノール、１−ウンデカノール、２−ウンデカノール、１−ドデカノール、３，４，５，６，６−ペンタメチル−２−ヘプタノール、プレノール、２−メチル−３−ブテン−２−オール、１−ペンテン−３−オール、アルコールＣ−６、ｃｉｓ−３−ヘキセノール、ｔｒａｎｓ−２−ヘキセノール、ｔｒａｎｓ−３−ヘキセノール、ｃｉｓ−４−ヘキセノール、２，４−ヘキサジエン−１−オール、１−オクテン−３−オール、ｃｉｓ−６−ノネノール、２，６−ノナジエノール、１−ノネン−３−オール、９−デセノール、１−ウンデセノール、４−メチル−３−デセン−５−オール、３，７−ジメチル−７−メトキシ−２−オクタノール、メチルトリメチルシクロペンテニルブテノール、メチルトリメチルシクロペンテニルブタノール、シクロヘキシルエチルアルコール、ｐ−イソプロピルシクロヘキサノール、２，４−ジメチル−３−シクロヘキセン−１−メタノール、ｐ−ｔ−ブチルシクロヘキサノール、ｏ−ｔ−ブチルシクロヘキサノール、ｐ−イソプロピルシクロヘキシルメタノール、シクロメチレンシトロネロール、アンブリノール、２，２，６−トリメチルシクロヘキシル−３−ヘキサノール等のアルコール類が挙げられる。
【００２１】
また、シトロネロール、ロジノール、ゲラニオール、ネロール、リナロール、ジヒドロリナロール、テトラヒドロリナロール、ジメチルオクタノール、ミルセノール、ジヒドロミルセノール、テトラヒドロミルセノール、オシメノール、３，６−ジメチル−３−オクタノール、ラバンジュロール、イソジヒドロラバンジュロール、ヒドロキシシトロネロール、エチルリナロール、イソプレゴール、メントール、テルピネオール、ジヒドロテルピネオール、テルピネオール−４、カルベオール、ジヒドロカルベオール、ペリラアルコール、４−ツヤノール、３−ツヤノール、イソシクロゲラニオール、ミルテノール、ノポール、ピノカルベオール、α−フェンキルアルコール、ボルネオール、イソボルネオール、トリメチルノルボルナンメタノール、イソカンフィルシクロヘキサノール、ファルネソール、ネロリドール、α−ビザボロール、β−カリオフィレンアルコール、α−サンタロール、β−サンタロール、ベチベロール、セドロール、セドレノール、パチュリアルコール、ゲラニルリナロール、スクラレオール等のアルコール類が挙げられる。
【００２２】
また、ベンジルアルコール、アニスアルコール、クミンアルコール、ｐ，α−ジメチルベンジルアルコール、α−フェニルエチルアルコール、β−フェニルエチルアルコール、ヒドラトロパアルコール、メチルβ−フェニルエチルアルコール、フェノキシエチルアルコール、２−メトキシフェニルエチルアルコール、α，α−ジメチルフェニルエチルアルコール、α−プロピルフェニルエチルアルコール、ｐ−メチルジメチルベンジルカルビノール、イソブチルベンジルカルビノール、３−フェニルプロピルアルコール、ジメチルフェニルエチルカルビノール、２，２−ジメチル−３−フェニルプロパノール、フェニルエチルメチルエチルカルビノール、シンナミックアルコール、アミルシンナミックアルコール、フルフリルアルコール、フェノキサノール等のアルコール類が挙げられる。
【００２３】
また、アニソール、ｐ−クレジルメチルエーテル、ｐ−エチルフェノール、チャビコール、エストラゴール、アネトール、チモール、カルバクロール、ヒノキチオール、β−ナフトールメチルエーテル、β−ナフトールエチルエーテル、β−ナフトールイソブチルエーテル、グアヤコール、クレオゾール、ベラトロール、オイゲノール、イソオイゲノール、メチルオイゲノール、サフロール、イソサフロール、ショウガオール等のフェノール類及びその誘導体が挙げられる。
【００２４】
また、ｎ−ヘキサナール、ｎ−ヘプタナール、ｎ−オクタナール、ｎ−ノナナール、２−メチルオクタナール、デカナール、ウンデカナール、ドデカナール、トリデカナール、テトラデカナール、ｃｉｓ−３−ヘキセナール、ｔｒａｎｓ−２−ヘキセナール、ｃｉｓ−６−ノネナール、１０−ウンデセナール、シトロネラール、シトラール、ジメチルオクタナール、ミルテナール、トリプラール、ベンズアルデヒド、クミンアルデヒド、フェニルアセトアルデヒド、シンナミックアルデヒド、α−メチルシンナミックアルデヒド、α−ヘキシルシンナミックアルデヒド、リラール、ヘリオナール、シクラメンアルデヒド、リリアール、サリチルアルデヒド、アニスアルデヒド、バニリン、エチルバニリン、ヘリオトロピン、フルフラール、アセトアルデヒドエチルヘキシルアセタール、アセトアルデヒド２−フェニル−２，４−ペンタンジオールアセタール、ヘプタナールジエチルアセタール、ヘプタナールエチレングリコールアセタール等のアルデヒド類及びアセタール類が挙げられる。
【００２５】
また、２−ペンタノン、３−ヘキサノン、２−ヘプタノン、２−オクタノン、２−ノナノン、２−ウンデカノン、メチルイソブチルケトン、エチルイソアミルケトン、２−トリデカノン、ゲラニルアセトン、アミルシクロペンテノン、ｃｉｓ−ジャスモン、ジヒドロジャスモン、イソジャスモン、ｏ−ｔ−ブチルシクロヘキサノン、ネロン、ダマセノン、ダマスコン、α−ヨノン、β−ヨノン、γ−ヨノン、メチルヨノン、イロン、カルボン、プレゴン、メントン、アセチルセドレン、ｐ−メトキシアセトフェノン、ラズベリーケトン、カロン、アセト酢酸エチルエチレングリコールケタール等のケトン類及びケタール類が挙げられる。
【００２６】
また、ゲラニルエチルエーテル、α−テルペニルメチルエーテル、リモネンオキサイド、ローズフラン、１，８−シネオール、１，４−シネオール、ローズオキサイド、ネロールオキサイド等のエーテル類及びオキサイド類；ムスコン等の合成ムスク類；酪酸、イソ吉草酸、ヘキサン酸、ゲラニル酸、安息香酸等の酸類；γ−ブチロラクトン、γ−オクタラクトン、γ−ノナラクトン、γ−ウンデカラクトン、クマリン、ジヒドロクマリン、ジャスモンラクトン、ジャスミンラクトン、ラクトンＣ−１０ガンマ等のラクトン類が挙げられる。
【００２７】
また、酢酸アニシル、酢酸アミル、酢酸イソアミル、酢酸イソブチル、酢酸イソプロピル、酢酸エチル、酢酸シトリル、酢酸テルペニル、酢酸ベンジル、酢酸ｏ−ｔ−ブチルシクロヘキシル、酢酸ｐ−ｔ−ブチルシクロヘキシル、酢酸ネリル、酢酸ボルニル、酢酸イソボルニル、酢酸トリシクロデセニル、酢酸ｃｉｓ−３−ヘキセニル、酢酸ｔｒａｎｓ−２−ヘキセニル、酢酸フェンキル、酢酸リナリル、酢酸シトロネリル、酢酸ゲラニル、酪酸アミル、酪酸イソアミル、酪酸イソブチル、酪酸メチル、酪酸エチル、酪酸シトロネリル、酪酸ネリル、酪酸ｃｉｓ−３−ヘキセニル、酪酸リナリル、イソ酪酸エチル、イソ酪酸ゲラニル、イソ酪酸シトロネリル、イソ吉草酸エチル、イソ吉草酸シトロネリル、イソ吉草酸ゲラニル、ヘキサン酸エチル、ヘキサン酸アリル、ヘキサン酸アミル、ヘキサン酸イソアミル、ヘキサン酸ゲラニル、安息香酸メチル、安息香酸ベンジル、安息香酸リナリル、桂皮酸メチル、桂皮酸ベンジル、サリチル酸ベンジル、サリチル酸ｃｉｓ−３−ヘキセニル、サリチル酸アミル、サリチル酸イソアミル、サリチル酸イソブチル、サリチル酸エチル、サリチル酸フェニル、サリチル酸メチル、ジャスモン酸メチル、ジヒドロジャスモン酸メチル、２−ペンチロキシグリコール酸アリル、アントラニル酸メチル、アントラニル酸エチル、メチルアントラニル酸メチル、アリルアミルグリコレート等のエステル類；ゲラニルニトリル、シトロネリルニトリル、インドール等の含窒素化合物；ジメチルスルフィド等の含硫黄化合物が挙げられる。
合成香料としては、前記合成香料からなる群から選ばれる１種又は２種以上の香料であってもよい。
【００２８】
天然香料としては、動物性香料でもよく、植物性香料でもよい。具体例として、セージオイル、ペパーミントオイル、スペアミントオイル、レモンオイル、レモングラスオイル、オレンジオイル、ローズマリーオイル、ラベンダーオイル、バジルオイル、ベルガモットオイル、シトロネラオイル、クローブオイル、コリアンダーオイル、ユーカリオイル、ゼラニウムオイル、ジンジャーオイル、グレープフルーツオイル、ヒバオイル、ヒノキオイル、ラバンジンオイル、タイムオイル、イランイランオイル、ライムオイル、シナモンリーフオイル、ハッカハクユ、アニスオイル、プチグレンオイル、ローレルオイル、パインオイル、ベイオイル、カンファーオイル、キャラウェイオイル、カルダモンオイル、カシアオイル、セダーウッドオイル、セダーリーフオイル、セロリオイル、カモミルオイル、コスタスオイル、クミンオイル、ディルオイル、フェンネルオイル、リセアキュベバオイル、パチュリオイル、ローズオイル、ジャスミンオイル、スペアミントオイル、ネロリオイル、シトロネラオイル、サンダルウッドオイル、ベチバーオイル等から選ばれる１種又は２種以上の天然香料が挙げられる。
【００２９】
さらに、香料としては、前記合成香料及び前記天然香料からなる群から選ばれる１種又は２種以上の香料であってもよい。
本発明組成物中における前記香料の含有量は、０．１〜８０質量％、さらに５〜７０質量％、特に１５〜６５質量％が好ましい。
さらに、揮散性消臭剤としては、ピルビン酸エチル、ピルビン酸フェニルエチル等のピルビン酸エステルが挙げられる。抗菌性薬剤としては、ヒノキチオール、アリルチオイソシアネート等が挙げられる。
本発明組成物中の前記揮散性消臭剤及び抗菌性薬剤の含有量は、０．０１〜４０質量％、さらに０．０３〜３０質量％、特に０．０５〜２０質量％が好ましい。
【００３０】
有機溶剤としては、灯油、軽油、パラフィン系炭化水素、イソパラフィン系炭化水素、芳香族炭化水素、芳香族アルコール、シリコーンオイル、サラダ油、大豆油、ホホバ油、ノルマルデカン、ノルマルトリデカン、ノルマルヘキサデカン、イソオクタン、イソドデカン、シクロヘキサン、トルエン、キシレン、オレイルアルコール、ベンジルアルコール、ジプロピレングリコールモノメチルエーテル、３−メチル−３−メトキシブタノール、リノール酸、２−エチルヘキサン酸セチル、ミリスチン酸イソプロピル、パルミチン酸イソプロピル、ステアリン酸２−エチルヘキシル、ラウリン酸メチル、ミリスチン酸メチル、パルミチン酸メチル、ステアリン酸メチル、オクタデカン酸ブチル等が挙げられる。本発明組成物中の有機溶剤の含有量は１〜９９質量％、さらに１５〜９０質量％、特に３０〜８０質量％が好ましい。
【００３１】
本発明組成物中の２−エチルヘキサン酸アルミニウムの含有量は、油ゲル化剤として、揮散性薬剤を油ゲルにする点から１〜２０質量％、さらに３〜１５質量％、特に４〜８質量％が好ましい。また、本発明組成物中の炭素数１２〜２２の脂肪酸のカルシウム塩及び／又は亜鉛塩の含有量は、最初は透明であり、揮散性薬剤の揮散に伴い白濁させる観点から０．０１〜１質量％、さらに０．０５〜０．８質量％、特に０．１〜０．６質量％が好ましい。また本発明組成物中の色素の含有量は、色素の種類にもよるが、揮散性薬剤の揮散に伴い色調を変化させる点から０．１〜３００ppm（０．００００１〜０．０３質量％）、さらに０．５〜２５０ppm（０．００００５〜０．０２５質量％）、特に１〜２１０ppm（０．０００１〜０．０２１質量％）が好ましい。
【００３２】
本発明に係る揮散性薬剤組成物の組成として、例えば、表１に示した各配合例などが挙げられる。表１において、ＩＰソルベント２０２８及びＩＰソルベント１６２０は出光石油化学株式会社製商品の名称であり、イソパラフィン系炭化水素である。ＴＦＡ及びオクトープＡＬＴはホープ製薬株式会社製商品の名称であり、２−エチルヘキサン酸アルミニウムである。また、表１の香料は、例えば、表２に示した各香料組成物であってもよい。
【００３３】
【表１】
2005120182.tif 000002
【００３４】
【表２】
2005120182.tif 000003
【実施例】
【００３５】
本発明の揮散性薬剤組成物を次のようにして調製した。
【００３６】
（実施例１）
表２に示した香料組成物１の２０．０ｇと、ＩＰソルベント２０２８の２６．８５ｇとを混合し、均一な溶液にした後、ステアリン酸カルシウム（東京化成工業株式会社製）を０．１５ｇ添加し、充分に攪拌した。さらに、ＴＦＡ３．０ｇを攪拌しながら少量ずつ添加し、水浴で６０℃、１時間加熱し、透明な油ゲル５０．０ｇを得た。
【００３７】
（実施例２）
香料組成物１の２０．０ｇと、ＩＰソルベント２０２８の２６．９９ｇとを混合し、均一な溶液にした後、赤色２０２号を０．０１ｇ添加し、充分に攪拌した。さらに、ＴＦＡ３．０ｇを攪拌しながら少量ずつ添加し、水浴で６０℃、１時間加熱し、透明な淡赤色の油ゲル５０．０ｇを得た。
【００３８】
（実施例３）
香料組成物１の２０．０ｇと、ＩＰソルベント２０２８の２６．９９ｇとを混合し、均一な溶液にした後、ＴＦＡ３．０ｇを攪拌しながら少量ずつ添加した。さらに青色１号アルミニウムレーキを０．０１ｇ添加した。水浴で６０℃、１時間加熱し、透明な淡青色の油ゲル５０．０ｇを得た。
【００３９】
（実施例４）
香料組成物１の１７．５ｇと、ピルビン酸エチルの２．５ｇと、ＩＰソルベント２０２８の２６．８５ｇとを混合し、均一な溶液にした後、ステアリン酸カルシウムを０．１５ｇ添加し、充分に攪拌した。さらに、ＴＦＡ３．０ｇを攪拌しながら少量ずつ添加し、水浴で６０℃、１時間加熱し、透明な油ゲル５０．０ｇを得た。
【００４０】
（実施例５）
香料組成物１の１７．５ｇと、ヒノキチオールの２．５ｇと、ＩＰソルベント２０２８の２６．８５ｇとを混合し、均一な溶液にした後、ステアリン酸カルシウムを０．１５ｇ添加し、充分に攪拌した。さらに、ＴＦＡ３．０ｇを攪拌しながら少量ずつ添加し、水浴で６０℃、１時間加熱し、透明な油ゲル５０．０ｇを得た。
【００４１】
（実施例６）
ピルビン酸エチルの２．５ｇと、ＩＰソルベント１６２０の４４．３５ｇとを混合し、均一な溶液にした後、ステアリン酸カルシウムを０．１５ｇ添加し、充分に攪拌した。さらに、ＴＦＡ３．０ｇを攪拌しながら少量ずつ添加し、水浴で６０℃、１時間加熱し、透明な油ゲル５０．０ｇを得た。
【００４２】
（実施例７）
ヒノキチオールの２．５ｇと、ＩＰソルベント１６２０の４４．３５ｇとを混合し、均一な溶液にした後、ステアリン酸カルシウムを０．１５ｇ添加し、充分に攪拌した。さらに、ＴＦＡ３．０ｇを攪拌しながら少量ずつ添加し、水浴で６０℃、１時間加熱し、透明な油ゲル５０．０ｇを得た。
【００４３】
（比較例１）
香料組成物１の２０．０ｇと、ＩＰソルベント２０２８の２７．０ｇとを混合し、均一な溶液にした後、ＴＦＡ３．０ｇを攪拌しながら少量ずつ添加した。水浴で６０℃、１時間加熱し、透明な油ゲル５０．０ｇを得た。
【００４４】
実施例１〜７及び比較例１の油ゲルの組成を下記の表３に示す。
【００４５】
【表３】
2005120182.tif 000004
【００４６】
本発明の揮散性薬剤組成物の揮散実験を次のようにして行った。
実施例１〜７及び比較例１の油ゲル５．０ｇを、市販された加熱芳香器のカートリッジ（リフレ  コンセントｉｎタイプ、花王株式会社製）に封入し、その油ゲルの入ったカートリッジを加熱ヒータ付き温めホルダーに入れ、５０℃で１ヶ月加熱した。揮散実験を行った部屋の環境は、温度２５℃、相対湿度６５％である。
揮散直後及び揮散１ヶ月後の油ゲルの外観の状態を表４に示した。その結果、油ゲルの透明性の変化が実施例１〜７では認められたのに対し、比較例１では、透明性が保持されていたままであり、揮散の終点は、比較例よりも実施例の方が明瞭に確認できた。
【００４７】
【表４】
2005120182.tif 000005